【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
第１ネットワークに属するコンテンツ提供サーバによって管理されるコンテンツを、第２ネットワークに属するコンテンツ再生装置に配信するコンテンツ配信サーバであって、
上記コンテンツに関する情報であるコンテンツ情報が、あらかじめ定められた配信許可条件を満たしている場合に、上記コンテンツを上記コンテンツ再生装置に配信することを許可する配信許可手段と、
上記配信許可手段によって許可された上記コンテンツについての上記コンテンツ情報を、上記コンテンツ再生装置でコンテンツを視聴するユーザに通知するために当該ユーザが所持する端末装置に送信するコンテンツ情報通知手段とを備えていることを特徴とするコンテンツ配信サーバ。
【請求項２】
上記配信許可手段は、
上記コンテンツのデータの種別と、上記コンテンツのデータの作成者と、上記コンテンツのジャンルとの少なくとも１つのコンテンツ情報が、上記配信許可条件を満たしている場合に、上記コンテンツを上記コンテンツ再生装置に配信することを許可することを特徴とする請求項１に記載のコンテンツ配信サーバ。
【請求項３】
上記コンテンツ情報通知手段は、
上記配信許可手段によって許可された上記コンテンツについての上記コンテンツ情報の一覧を、上記コンテンツ再生装置でコンテンツを視聴するユーザに通知するために当該ユーザが所持する端末装置に送信することを特徴とする請求項１または２に記載のコンテンツ配信サーバ。
【請求項４】
上記コンテンツ情報通知手段は、
上記配信許可手段によって許可された上記コンテンツについての上記コンテンツ情報を、ユニバーサルプラグアンドプレイプロトコルに従って、上記コンテンツ再生装置のユーザが所持する端末装置に送信することを特徴とする請求項１〜３のいずれか１項に記載のコンテンツ配信サーバ。
【請求項５】
第１ネットワークに属するコンテンツ提供サーバによって管理されるコンテンツを、第２ネットワークに属するコンテンツ再生装置に配信するコンテンツ配信サーバであって、
上記コンテンツ再生装置に関する情報であるコンテンツ再生装置情報が、あらかじめ定められた利用許可条件を満たしている場合に、上記コンテンツ再生装置を利用することを許可する利用許可手段と、
上記利用許可手段によって許可された上記コンテンツ再生装置についての上記コンテンツ再生装置情報を、上記コンテンツ再生装置でコンテンツを視聴するユーザに通知するために当該ユーザが所持する端末装置に送信するコンテンツ再生装置情報通知手段とを備えていることを特徴とするコンテンツ配信サーバ。
【請求項６】
上記コンテンツ再生装置に対して、上記コンテンツ再生装置情報を要求するコンテンツ再生装置情報要求を送信するコンテンツ再生装置情報要求送信手段と、
上記コンテンツ再生装置情報要求に応じて上記コンテンツ再生装置から送信されるコンテンツ再生装置情報を取得するコンテンツ再生装置情報取得手段とをさらに備えていることを特徴とする請求項５に記載のコンテンツ配信サーバ。
【請求項７】
上記利用許可手段は、
上記コンテンツ再生装置の名称についてのコンテンツ再生装置情報が、上記利用許可条件を満たしている場合に、上記コンテンツ再生装置を利用することを許可することを許可する請求項５または６に記載のコンテンツ配信サーバ。
【請求項８】
上記コンテンツ再生装置情報通知手段は、
上記利用許可手段によって許可された上記コンテンツ再生装置についての上記コンテンツ再生装置情報の一覧を、上記コンテンツ再生装置でコンテンツを視聴するユーザに通知するために当該ユーザが所持する端末装置に送信することを特徴とする請求項５〜７のいずれか１項に記載のコンテンツ配信サーバ。
【請求項９】
上記コンテンツ再生装置情報通知手段は、
上記利用許可手段によって許可された上記コンテンツ再生装置についての上記コンテンツ再生装置情報を、ユニバーサルプラグアンドプレイプロトコルに従って、上記コンテンツ再生装置のユーザが所持する端末装置に送信することを特徴とする請求項５〜８のいずれか１項に記載のコンテンツ配信サーバ。
【請求項１０】
第１ネットワークに属し、第２ネットワークに属するコンテンツ再生装置にコンテンツを配信する第２ネットワークに属するコンテンツ配信サーバに、当該コンテンツを提供するコンテンツ提供サーバであって、
上記コンテンツに関する情報であるコンテンツ情報が、あらかじめ定められた提供許可条件を満たしている場合に、上記コンテンツを上記コンテンツ配信サーバに提供することを許可する提供許可手段と、
上記提供許可手段によって許可された上記コンテンツについての上記コンテンツ情報を、上記コンテンツ配信サーバに送信するコンテンツ情報送信手段とを備えていることを特徴とするコンテンツ提供サーバ。
【請求項１１】
第１ネットワークに属し、上記コンテンツを格納しているメディアサーバに対して、上記コンテンツ情報を要求するコンテンツ情報要求を送信するコンテンツ情報要求送信手段と、
上記コンテンツ情報要求に応じて上記メディアサーバから送信されるコンテンツ情報を取得するコンテンツ情報取得手段とをさらに備えていることを特徴とする請求項１０に記載のコンテンツ提供サーバ。
【請求項１２】
上記提供許可手段は、
上記コンテンツのデータの種別と、上記コンテンツのデータの作成者と、上記コンテンツのジャンルとの少なくとも１つのコンテンツ情報が、上記提供許可条件を満たしている場合に、上記コンテンツを上記コンテンツ配信サーバに送信することを許可することを特徴とする請求項１０または１１に記載のコンテンツ提供サーバ。
【請求項１３】
上記コンテンツ情報送信手段は、
上記提供許可手段によって提供することを許可する判定がなされたコンテンツに関するコンテンツ情報の一覧を上記コンテンツ配信サーバに送信することを特徴とする請求項１２に記載のコンテンツ提供サーバ。
【請求項１４】
請求項１０〜１３のいずれか１項に記載のコンテンツ提供サーバと通信を行うことを特徴とする請求項１〜９のいずれか１項に記載のコンテンツ配信サーバ。
【請求項１５】
請求項１〜９のいずれか１項に記載のコンテンツ配信サーバと通信を行うことを特徴とする請求項１０〜１３のいずれか１項に記載のコンテンツ提供サーバ。
【請求項１６】
請求項１〜９のいずれか１項に記載のコンテンツ配信サーバと、
請求項１０〜１３のいずれか１項に記載のコンテンツ提供サーバと、
上記コンテンツ配信サーバによって配信される上記コンテンツを再生するコンテンツ再生装置と、
上記コンテンツ提供サーバの管理下にあってコンテンツを格納しているメディアサーバと、
上記コンテンツ配信サーバのコントローラである携帯端末とを含み、
上記コンテンツ配信サーバは、
ユーザの操作によって上記携帯端末から送信されるコンテンツ情報の取得要求に応じて、上記コンテンツ提供サーバからコンテンツ情報を取得し、上記携帯端末を介してコンテンツ情報をユーザに通知することを特徴とするコンテンツ配信システム。
【請求項１７】
第１ネットワークに属するコンテンツ提供サーバによって管理されるコンテンツを、第２ネットワークに属するコンテンツ再生装置に配信するコンテンツ配信方法であって、
上記コンテンツに関する情報であるコンテンツ情報が、あらかじめ定められた配信許可条件を満たしている場合に、上記コンテンツを上記コンテンツ再生装置に配信することを許可する配信許可ステップと、
上記配信許可ステップによって許可された上記コンテンツについての上記コンテンツ情報を、上記コンテンツ再生装置でコンテンツを視聴するユーザに通知するために当該ユーザが所持する端末装置に送信するコンテンツ情報通知ステップとを備えていることを特徴とするコンテンツ配信方法。
【請求項１８】
第１ネットワークに属するコンテンツ提供サーバによって管理されるコンテンツを、第２ネットワークに属するコンテンツ再生装置に配信するコンテンツ配信方法であって、
上記コンテンツ再生装置に関する情報であるコンテンツ再生装置情報が、あらかじめ定められた利用許可条件を満たしている場合に、上記コンテンツ再生装置を利用することを許可する利用許可ステップと、
上記利用許可ステップによって許可された上記コンテンツ再生装置についての上記コンテンツ再生装置情報を、上記コンテンツ再生装置でコンテンツを視聴するユーザに通知するために当該ユーザが所持する端末装置に送信するコンテンツ再生装置情報通知ステップとを含んでいることを特徴とするコンテンツ配信方法。
【請求項１９】
第１ネットワークに属し、第２ネットワークに属するコンテンツ再生装置にコンテンツを配信する第２ネットワークに属するコンテンツ配信サーバに、当該コンテンツを提供するコンテンツ提供サーバによるコンテンツ提供方法であって、
上記コンテンツに関する情報であるコンテンツ情報が、あらかじめ定められた提供許可条件を満たしている場合に、上記コンテンツを上記コンテンツ配信サーバに提供することを許可する提供許可ステップと、
上記提供許可ステップによって許可された上記コンテンツについての上記コンテンツ情報を、上記コンテンツ配信サーバに提供するコンテンツ情報提供ステップとを含んでいることを特徴とするコンテンツ提供方法。
【請求項２０】
請求項１から９のいずれか１項に記載のコンテンツ配信サーバを動作させる制御プログラムであって、コンピュータを上記の各手段として機能させるための制御プログラム。
【請求項２１】
請求項１０から１３のいずれか１項に記載のコンテンツ提供サーバを動作させる制御プログラムであって、コンピュータを上記の各手段として機能させるための制御プログラム。
【手続補正２】
【補正対象書類名】明細書
【補正対象項目名】００７２
【補正方法】変更
【補正の内容】
【００７２】
本発明に係るコンテンツ提供サーバでは、上記コンテンツ情報送信手段は、上記提供許可手段によって提供することを許可する判定がなされたコンテンツに関するコンテンツ情報の一覧を上記コンテンツ配信サーバに送信することが好ましい。
【手続補正３】
【補正対象書類名】明細書
【補正対象項目名】０１７７
【補正方法】変更
【補正の内容】
【０１７７】
・  ＦＧＷ３０５がＨＧＷ３０４との間に認証された通信経路を確立するために利用するパスワードの取得を要求するアクセス権限要求を、携帯端末３０７から受け付ける（Ｓ４０７）、アクセス権限要求受付部５０３。